(57)【要約】【課題】可動板以外の部分に入射した光による迷光を低減することのできる光学デバイス、光スキャナー及び画像形成装置を提供する。【解決手段】光学デバイス１は、外部から入射される光の分布範囲Ｂ内に配置され、当該光を反射する金属膜１１を有する可動板１０と、可動板１０を軸Ａ周りに揺動可能に支持する軸部材２０とを備え、光の分布範囲Ｂ内における可動板１０以外の部分が、光を所定範囲外に反射させるような法線ベクトルを有する面で構成されている。【選択図】図１
2010230793.tif 000002
【特許請求の範囲】
【請求項１】
外部から入射される光の分布範囲内に配置され、該光を反射する光反射面を有する可動板と、
前記可動板を所定軸周りに揺動可能に支持する軸部材とを備え、
前記光の分布範囲内における前記可動板以外の部分が、前記光を所定範囲外に反射させるような法線ベクトルを有する面で構成されている
ことを特徴とする光学デバイス。
【請求項２】
前記法線ベクトルを有する面は、前記可動板に対して所定角度を有する平面を含む
ことを特徴とする請求項１に記載の光学デバイス。
【請求項３】
前記可動板を囲むように配置される枠部をさらに備え、
前記光の分布範囲内における前記可動板以外の部分は、前記枠部を含む
ことを特徴とする請求項１又は２に記載の光学デバイス。
【請求項４】
前記軸部材を支持する支持部材をさらに備え、
前記光の分布範囲内における前記可動板以外の部分は、前記支持部材を含む
ことを特徴とする請求項１乃至３の何れか一項に記載の光学デバイス。
【請求項５】
前記可動板を前記所定軸周りに揺動させるように構成された駆動手段をさらに備え、
前記光の分布範囲内における前記可動板以外の部分は、前記駆動手段を含む
ことを特徴とする請求項１乃至４の何れか一項に記載の光学デバイス。
【請求項６】
前記所定範囲は、前記可動板により反射された光の反射範囲を含む
ことを特徴とする請求項１乃至５の何れか一項に記載の光学デバイス。
【請求項７】
請求項１乃至６の何れかに記載の光学デバイスを備える
ことを特徴とする光スキャナー。
【請求項８】
請求項７に記載の光スキャナーを備える
ことを特徴とする画像形成装置。
【発明の詳細な説明】
【技術分野】
【０００１】
本発明に係るいくつかの態様は、例えばＭＥＭＳ（Micro Electro Mechanical System）技術により作製され、可動板が軸部材を中心に往復運動する光学デバイス、光スキャナー及び画像形成装置に関する。
【背景技術】
【０００２】
従来、この種の光学デバイスとして、磁気発生部と、駆動軸を中心として角変位可能なように支持部材で両端支持される走査ミラーとを備え、走査ミラーは、一方面側に鏡面部が形成され、他方面側に永久磁石が形成され、磁気発生部は走査ミラーの他方面側に所定の距離を隔てて配設されているものが知られている。この光学デバイスは、前述の構成により、走査ミラーが、単独で、しかも他方面側に薄膜状の永久磁石を形成しただけの軽い状態で駆動されるので、走査ミラーを大型にした場合であっても、比較的小さな駆動力でも容易に駆動できる。（例えば特許文献１参照）。
【先行技術文献】
【特許文献】
【０００３】
【特許文献１】特開平６−８２７１１号公報
【発明の概要】
【発明が解決しようとする課題】
【０００４】
ところで、一般に、光学デバイスに入射する光の分布範囲は、光反射面（ミラー）を有する可動板のサイズよりも大きいので、光学デバイスにおける可動板以外の部分に光が入射する場合がある。この場合、可動板以外の部分に入射した光は、可動板を駆動（走査）しても移動しないので、常に同じ位置に反射される。その結果、可動板以外の部分に入射した光が、可動板による光の反射範囲、当該光の反射範囲を含む他の光学デバイス、ミラー、スクリーン（他の光学デバイス、ミラーなどを介して照射するスクリーンも含む）などに、いわゆる迷光となって表れるおそれがあった。
【０００５】
本発明のいくつかの態様は前述の問題に鑑みてなされたものであり、可動板以外の部分に入射した光による迷光を低減することのできる光学デバイス、光スキャナー及び画像形成装置を提供することを目的の１つとする。
【課題を解決するための手段】
【０００６】
本発明に係る光学デバイスは、外部から入射される光の分布範囲内に配置され、該光を反射する光反射面を有する可動板と、可動板を所定軸周りに揺動可能に支持する軸部材とを備え、光の分布範囲内における光反射面以外の部分が、光を所定範囲外に反射させるような法線ベクトルを有する面で構成されている。
【０００７】
かかる構成によれば、光の分布範囲内における可動板以外の部分が、外部から入射される光を所定範囲外に反射させるような法線ベクトル（特定法線ベクトル）を有する面で構成されている。一般に、反射面の法線ベクトル（法線）に対して光の入射角と反射角とは等しいことが知られているから、入射光に対して反射面の法線ベクトルの方向を変更することにより、光の入射角及び反射角を変えることができる。よって、外部から入射される光と反射面の法線ベクトルとがなす角度、すなわち当該光の入射角を適切な値に設定することにより、反射光を所定範囲外に反射させることが可能となる。これにより、可動板以外の部分に入射した光による迷光を低減することができる。可動板以外の部分の反射光が外す「所定範囲」には、例えば、可動板による光の反射範囲、当該光の反射範囲を含む他の光学デバイス、ミラー、スクリーン（他の光学デバイス、ミラーなどを介して照射するスクリーンも含む）などが含まれる。
【０００８】
好ましくは、前述の特定法線ベクトルを有する面は、可動板に対して所定角度を有する平面を含む。
【０００９】
かかる構成によれば、前述の特定法線ベクトルを有する面に、可動板に対して所定角度を有する平面が含まれる。ここで、例えば可動板と平行な面は、異方性エッチングや、機械などによる切削加工を施すことにより、可動板に対して所定角度を有する平面となる。よって、所定角度を適切な値に設定するにより、当該平面を前述の特定法線ベクトルを有する面にすることが可能となる。これにより、光の分布範囲内における可動板以外の部分は、前述の特定法線ベクトルを有する面を容易に形成することができる。
【００１０】
好ましくは、可動板を囲むように配置される枠部をさらに備え、光の分布範囲内における可動板以外の部分は、枠部を含む。
【００１１】
かかる構成によれば、光の分布範囲内における可動板以外の部分に、枠部が含まれるので、可動板の近傍に配置され、反射した光が迷光となるおそれが顕著であった枠部のうち、光の分布範囲内に含まれる部分を、前述の特定法線ベクトルを有する面で構成することができる。これにより、枠部に入射した光による迷光を低減することができる。
【００１２】
好ましくは、軸部材を支持する支持部材をさらに備え、光の分布範囲内における可動板以外の部分は、支持部材を含む。
【００１３】
かかる構成によれば、光の分布範囲内における可動板以外の部分に、支持部材が含まれるので、可動板の近傍に配置され、反射した光が迷光となるおそれが顕著であった支持部材のうち、光の分布範囲内に含まれる部分を、前述の特定法線ベクトルを有する面で構成することができる。これにより、支持部材に入射した光による迷光を低減することができる。
【００１４】
好ましくは、可動板を所定軸周りに揺動させるように構成された駆動手段をさらに備え、光の分布範囲内における可動板以外の部分は、駆動手段を含む。
【００１５】
かかる構成によれば、光の分布範囲内における可動板以外の部分に、駆動手段が含まれるので、可動板の近傍に配置され、反射した光が迷光となるおそれが顕著であった駆動手段のうち、光の分布範囲内に含まれる部分を、前述の特定法線ベクトルを有する面で構成することができる。これにより、駆動手段に入射した光による迷光を低減することができる。
【００１６】
好ましくは、前述の所定範囲は、可動板により反射された光の反射範囲を含む。
かかる構成によれば、前述の所定範囲に、可動板により反射された光の反射範囲が含まれるので、外部から入射される光の分布範囲内における可動板以外の部分への入射光は、可動板により反射された光の反射範囲外に反射される。言い換えれば、可動板により反射された光の反射範囲と可動板以外の部分により反射された光の反射範囲とが重ならない。これにより、可動板以外の部分に入射した光が、可動板による光の反射範囲に迷光となって表れるおそれを低減することができる。
【００１７】
本発明に係る光スキャナーは、前述した本発明に係る光学デバイスを備える。
かかる構成によれば、前述した本発明に係る光学デバイスを備えるので、可動板以外の部分に入射した光による迷光を低減することができる。これにより、従来の光学デバイスのように、迷光を目立たなくするために解像度を下げたり、外部から入射される光のコントラストを低下させたりする必要がなくなり、従来の光学デバイスと比較して、解像度を上げることができ、外部から入射される光のコントラストを上げることができる優れた光学特性を有する光スキャナーを実現することができる。
【００１８】
本発明に係る画像形成装置は、前述した本発明に係る光スキャナーを備える。
かかる構成によれば、前述した本発明に係る光スキャナーを備えるので、従来の光学デバイスと比較して、解像度を上げることができ、外部から入射される光のコントラストを上げることができる。これにより、高解像度でハイコントラストの画像を形成することができる優れた描画特性を有する画像形成装置を実現することができる。
【図面の簡単な説明】
【００１９】
【図１】本発明に係る光学デバイスの構成を説明する平面図である。
【図２】図１に示したＩ−Ｉ線における断面図である。
【図３】図１に示したＩＩ−ＩＩ線における断面図である。
【図４】本発明に係る光学デバイスの反射光の一例を説明する平面図である。
【図５】本発明に係る光スキャナーを備える画像形成装置の一例を示す概略図である。
【発明を実施するための形態】
【００２０】
以下、本発明の一実施形態について図面を参照しながら説明する。
＜光学デバイス＞
図１乃至図４は、本発明に係る光学デバイスを示すものであり、図１は、本発明に係る光学デバイスの構成を説明する平面図である。
【００２１】
図１に示すように、光学デバイス１は、可動板１０と、軸部材２０と、固定部３０と、枠部（フレーム）４０と、支持部材（ホルダ）５０とを備える。光学デバイス１に対し、図示しない外部の光源から正規分布（ガウス分布又はガウシアン分布）の広がりをもった光が入射する。この光は、図１に示す分布範囲Ｂに分布する。
【００２２】
可動板１０の上面（一方の面）には、光の分布範囲Ｂ内に配置され、当該光を反射する金属膜１１が成膜されている。金属膜１１は本発明の光反射面に相当する。金属膜１１は、例えば可動板１０の上面に、真空蒸着、スパッタリング、金属箔の接合などの成膜方法を施すことにより、成膜することができる。
【００２３】
一対の軸部材２０は、固定部３０に対して可動板１０を軸部材２０の中心軸である軸Ａ周りに揺動可能に支持する。なお、軸部材２０は弾性を有するものが好ましい。これにより、後述のねじり変形が容易になる。固定部３０は、一対の軸部材２０にそれぞれ接続され、可動板１０及び軸部材２０から構成される振動系の両端を固定する。可動板１０、軸部材２０、及び固定部３０は、例えばシリコン基板をエッチング加工することにより、一体形成されている。
【００２４】
本実施形態では、可動板１０、軸部材２０、及び固定部３０を一体形成したが、これに限定されず、それぞれを別々に形成してもよい。また、本実施形態では、可動板１０の平面形状として円形のものを示したが、これに限定されず、光学デバイス１の可動板１０として求められる役割を果たす限り、楕円形、矩形、多角形などの他の形状であってもよい。
【００２５】
枠部４０は、固定部３０を嵌合するための図示しない切欠部を有する。固定部３０が切欠部に嵌合されると、枠部４０が可動板１０の周囲を囲むように配置される。なお、切欠部に固定部３０が嵌合されたときに、可動板１０、軸部材２０、及び固定部３０の上面と、枠部４０の上面とが同一平面又は略同一平面となるように、切欠部の寸法を設定するのが好ましい。
【００２６】
枠部４０の上面の一部に、具体的には光の分布範囲Ｂを含む領域に、傾斜面４１が形成されている。枠部４０の上面における傾斜面４１以外の部分は、可動板１０と平行な平面が形成されている。傾斜面４１は、外部から入射される光を所定範囲外に反射させるような法線ベクトル（以下、特定法線ベクトルという）を有する。一般に、反射面の法線ベクトル（法線）に対して光の入射角と反射角とは等しいことが知られているから、入射光に対して反射面の法線ベクトルの方向を変更することにより、光の入射角及び反射角を変えることができる。よって、外部から入射される光と反射面の法線ベクトルとがなす角度、すなわち当該光の入射角を適切な値に設定することにより、反射光を所定範囲外に反射させることが可能となる。
【００２７】
なお、傾斜面４１の反射光が外す所定範囲は、後述するように軸Ａ周りに可動板１０が揺動したときに反射される光の反射範囲Ｄを含むことが好ましい。また、当該光の反射範囲Ｄを含む他の光学デバイス、ミラー、スクリーン（他の光学デバイス、ミラーなどを介して照射するスクリーンも含む）など、を含むことが更に好ましい。
【００２８】
図２は、図１に示したＩ−Ｉ線における断面図である。図２に示すように、枠部４０の一方の側（図１における上側）の傾斜面４１は、可動板１０と平行な面に対して所定角度θ1を有する平面である。ここで、例えば可動板１０と平行な枠部４０の上面は、異方性エッチングや、機械などによる切削加工を施すことにより、可動板１０と平行な面に対して所定角度θ1を有する傾斜面４１となる。よって、所定角度θ1を適切な値に設定するにより、傾斜面４１を、前述の特定法線ベクトルを有する面にすることが可能となる。
【００２９】
図２では、枠部４０の一方の側（図１における上側）の傾斜面４１のみを示したが、枠部４０の他方の側（図１における下側）の傾斜面４１も同様に、可動板１０と平行な面に対して所定角度θ2を有する平面である。なお、一方の側の傾斜面４１が傾斜する方向と他方の側の傾斜面４１が傾斜する方向とは、同じであっても異なっていてもよい。また、所定角度θ1と所定角度θ2とは、同じであっても異なっていてもよい。
【００３０】
図３は、図１に示したＩＩ−ＩＩ線における断面図である。図３に示すように、支持部材５０は、枠部４０を下方から支持しており、図示しない接着剤を介して枠部４０に接合されている。このように、支持部材５０は、枠部４０を支持することによって、枠部４０の切欠部に嵌合される固定部３０を介して軸部材２０を支持する。
【００３１】
また、支持部材５０は、可動板１０に対向するように配置される底部５１を有する。底部５１の上面の一部に、具体的には図１に示した光の分布範囲Ｂを含む領域に、傾斜面５２が形成されている。底部５１の上面における傾斜面５２以外の部分は、可動板１０と平行な平面が形成されている。傾斜面５２は、前述の特定法線ベクトルを有する。
【００３２】
底部５１の傾斜面５２は、可動板１０と平行な面に対して所定角度θ3を有する平面である。ここで、例えば可動板１０と平行な底部５１の上面は、異方性エッチングや、機械などによる切削加工を施すことにより、可動板１０に対して所定角度θ3を有する傾斜面５２となる。よって、所定角度θ3を適切な値に設定するにより、傾斜面５２を、前述の特定法線ベクトルを有する面にすることが可能となる。
【００３３】
なお、傾斜面５２が傾斜する方向と図２に示した傾斜面４１が傾斜する方向とは、同じであっても異なっていてもよい。また、所定角度θ3と所定角度θ1とは、同じであっても異なっていてもよい。同様に、所定角度θ3と所定角度θ2とは、同じであっても異なっていてもよい。
【００３４】
本実施形態では、支持部材５０を、枠部４０と異なる部材として説明したが、これに限定されず、枠部４０と一体であってもよい。また、本実施形態では、枠部４０の図示しない切欠部に固定部３０を嵌合するようにしたが、これに限定されず、光学デバイス１は、枠部４０を備えていなくてもよい。この場合、固定部３０は、接着剤などを介して支持部材５０に接合される。
【００３５】
可動板１０の下面（他方の面）には、図示しない接着剤を介して磁石６１が接合されている。また、光学デバイス１を平面視したときに、磁石６１は、軸Ａに直交する方向（図１におけるＹ軸方向）に磁化されている。すなわち、磁石６１は、軸Ａを介して対向する互いに極性の異なる一対の磁極を有する。
【００３６】
本実施形態では、磁石６１を、可動板１０と異なる部材として説明したが、これに限定されず、可動板１０と一体形成してもよい。この場合、磁石６１は、可動板１０の下面（他方の面）にスパッタリングなどの成膜方法を施すことにより形成される。
【００３７】
底部５１の傾斜面５２には、可動板１０を軸Ａ周りに揺動させるためのコイル６２が設置されている。これにより、底部５１の傾斜面５２と同様に、コイル６２の上面６２ａは、可動板１０と平行な面に対して所定角度θ3を有する平面となり、前述の特定法線ベクトルを有する面となる。
【００３８】
コイル６２には、図示しない電源から所定周波数の交流電流が供給される。これにより、コイル６２は上方（可動板１０側）に向く磁界と、下方に向く磁界とを交互に発生させる。これにより、コイル６２に対して磁石６１の一対の磁極のうち一方の磁極が接近し他方の磁極が離間するようにして、軸部材２０をねじれ変形させながら、可動板１０及び磁石６１が、軸Ａ回りに揺動させられる。
【００３９】
コイル６２に供給される交流電流の所定周波数は、可動板１０及び軸部材２０から構成される振動系の振動数（ねじり共振周波数）とほぼ一致するように設定するのが好ましい。このように共振を利用することで、可動板１０を軸Ａ周りに揺動させるときに、少ない消費電力で振れ角を大きくすることができる。
【００４０】
本実施形態では、磁石６１とコイル６２と間の電磁力を利用した駆動方式を示したが、これに限定されず、可動板１０を所定軸周りに揺動させるように構成されていればよい。光学デバイス１は、静電引力を利用した方式や、圧電素子を利用した駆動方式を採用してもよい。例えば、静電引力を利用した方式の場合には、磁石６１は不要であり、コイル６２の代わりに、底部５１の傾斜面５２における可動板１０に対向する位置に、１つ又は複数の電極が設置される。そして、可動板１０と当該電極との間に所定周波数の交流電圧を印加することにより、可動板１０と電極との間に静電引力を発生させ、軸部材２０をねじれ変形させながら、可動部１０が軸Ａ周りに揺動させられる。
【００４１】
図４は、本発明に係る光学デバイスの反射光の一例を説明する平面図である。図４に示すように、光学デバイス１に対し、外部から光Ｃが入射されると、可動板１０に入射した光Ｃは、可動板１０が軸Ａ周りに揺動することにより、反射範囲Ｄに反射される。
【００４２】
これに対し、前述の特定法線ベクトルを有する傾斜面４１に入射した光Ｃは、反射光Ｄ１のように、反射板１０による光の反射範囲Ｄとは異なる方向に反射される。また、前述の特定法線ベクトルを有する傾斜面５２に入射した光Ｃは、反射光Ｄ２のように、可動板１０による光の反射範囲Ｄとは異なる方向に反射される。なお、図示を省略するが、前述の特定法線ベクトルを有するコイル６２の上面６２ａに入射した光も、可動板１０による光の反射範囲Ｄとは異なる方向に反射される。
【００４３】
本実施形態では、光の分布範囲Ｂ内における可動板１０以外の部分として、枠部４０の傾斜面４１と、底部５１の傾斜面５２と、コイル６２の上面６２ａとを示したが、これに限定されない。光の分布範囲Ｂ内における可動板１０以外の部分である限り、光学デバイス１の他の部分、例えば支持部材４０の柱状部などであってもよい。また、本実施形態では、前述の特定法線ベクトルを有する面として、可動板１０に対して所定角度を有する平面を示したが、これに限定されない。前述の特定法線ベクトルを有する面である限り、例えば曲面であってもよい。
【００４４】
このように、本実施形態における光学デバイス１によれば、光の分布範囲Ｂ内における可動板１０以外の部分が、外部から入射される光を所定範囲外に反射させるような法線ベクトル（特定法線ベクトル）を有する面で構成されている。一般に、反射面の法線ベクトル（法線）に対して光の入射角と反射角とは等しいことが知られているから、入射光に対して反射面の法線ベクトルの方向を変更することにより、光の入射角及び反射角を変えることができる。よって、外部から入射される光と反射面の法線ベクトルとがなす角度、すなわち当該光の入射角を適切な値に設定することにより、反射光を所定範囲外に反射させることが可能となる。これにより、可動板１０以外の部分に入射した光による迷光を低減することができる。
【００４５】
また、本実施形態における光学デバイス１によれば、前述の特定法線ベクトルを有する面に、可動板１０に対して所定角度を有する平面が含まれる。ここで、例えば可動板１０と平行な面は、異方性エッチングや、機械などによる切削加工を施すことにより、可動板１０に対して所定角度を有する平面となる。よって、所定角度を適切な値に設定するにより、当該平面を前述の特定法線ベクトルを有する面にすることが可能となる。これにより、光の分布範囲Ｂ内における可動板１０以外の部分は、前述の特定法線ベクトルを有する面を容易に形成することができる。
【００４６】
また、本実施形態における光学デバイス１によれば、光の分布範囲Ｂ内における可動板１０以外の部分に、枠部４０が含まれるので、可動板１０の近傍に配置され、反射した光が迷光となるおそれが顕著であった枠部４０のうち、光の分布範囲Ｂ内に含まれる傾斜面４１を、前述の特定法線ベクトルを有する面で構成することができる。これにより、枠部４０に入射した光による迷光を低減することができる。
【００４７】
また、本実施形態における光学デバイス１によれば、光の分布範囲Ｂ内における可動板１０以外の部分に、支持部材５０が含まれるので、可動板１０の近傍に配置され、反射した光が迷光となるおそれが顕著であった支持部材５０の底部５１のうち、光の分布範囲Ｂ内に含まれる傾斜面５２を、前述の特定法線ベクトルを有する面で構成することができる。これにより、支持部材５０に入射した光による迷光を低減することができる。
【００４８】
また、本実施形態における光学デバイス１によれば、光の分布範囲Ｂ内における可動板１０以外の部分に、コイル５２が含まれるので、可動板１０の近傍に配置され、反射した光が迷光となるおそれが顕著であったコイル６２のうち、光の分布範囲Ｂ内に含まれる上面６２ａを、前述の特定法線ベクトルを有する面で構成することができる。これにより、コイル５２に入射した光による迷光を低減することができる。
【００４９】
また、本実施形態における光学デバイス１によれば、前述の所定範囲に、可動板１０により反射された光の反射範囲Ｄが含まれるので、外部から入射される光の分布範囲Ｂ内における可動板１０以外の部分への入射光は、可動板１０により反射された光の反射範囲Ｄ外に反射される。言い換えれば、可動板１０により反射された光の反射範囲Ｄと可動板１０以外の部分により反射された光の反射範囲とが重ならない。これにより、可動板１０以外の部分に入射した光が、可動板１０による光の反射範囲Ｄに迷光となって表れるおそれを低減することができる。
【００５０】
（光スキャナー）
前述の光学デバイス１は、図１に示したように金属膜１１を有する可動板１０を備えているため、例えば、レーザープリンター、バーコードリーダー、走査型共焦点レーザー顕微鏡、イメージング用ディスプレイなどの画像形成装置に備える光スキャナーに好適に適用することができる。なお、本発明に係る光スキャナーは、前述した光学デバイス１と同様の構成であるため、その説明を省略する。
【００５１】
このように、本発明に係る光スキャナーによれば、可動板１０以外の部分に入射した光による迷光を低減することができる。これにより、従来の光学デバイスのように、迷光を目立たなくするために解像度を下げたり、外部から入射される光のコントラストを低下させたりする必要がなくなり、従来の光学デバイスと比較して、解像度を上げることができ、外部から入射される光のコントラストを上げることができる優れた光学特性を有する光スキャナーを実現することができる。
【００５２】
（画像形成装置）
次に、図５を参照して本発明に係る画像形成装置について説明する。図５は、本発明に係る光スキャナーを備える画像形成装置の一例を説明する概略図である。
【００５３】
図５に示す画像形成装置（イメージングディスプレイ）１１９は、光スキャナーである光学デバイス１と、Ｒ（赤）、Ｇ（緑）、Ｂ（青）の３色の光源１９１、１９２、１９３と、クロスダイクロイックプリズム（Ｘプリズム）１９４と、ガルバノミラー１９５と、固定ミラー１９６と、スクリーン１９７とを備えている。
【００５４】
このような画像形成装置１１９にあっては、光源１９１、１９２、１９３からクロスダイクロイックプリズム１９４を介して光学デバイス１（の可動板１０）に各色の光が照射される。このとき、光源１９１からの赤色の光と、光源１９２からの緑色の光と、光源１９３からの青色の光とが、クロスダイクロイックプリズム１９４にて合成される。そして、可動板１０で反射した光（３色の合成光）は、ガルバノミラー１９５で反射した後に、固定ミラー１９６で反射し、スクリーン１９７上に照射される。
【００５５】
その際、光学デバイス１の動作（可動板１０の軸線Ｘ周りの揺動）により、可動板１０で反射した光は、スクリーン１９７の横方向に走査（主走査）される。また、可動板１０以外の部分に入射した光は、所定範囲外、すなわちガルバノミラー１９５及びスクリーン１９７を外して反射される。これにより、可動板１０以外の部分に入射した光が、ガルバノミラー１９５及びスクリーン１９７に迷光となって表れるおそれを低減することができる。
【００５６】
一方、ガルバノミラー１９５の軸線Ｙ周りの回動により、可動板１０で反射した光は、スクリーン１９７の縦方向に走査（副走査）される。また、各色の光源１９１、１９２、１９３から出力される光の強度は、図示しないホストコンピュータから受けた画像情報に応じて変化する。
【００５７】
このように、本発明に係る画像形成装置１１９によれば、前述した本発明に係る光スキャナーを備えるので、従来の光学デバイスと比較して、解像度を上げることができ、外部から入射される光のコントラストを上げることができる。これにより、高解像度でハイコントラストの画像を形成することができる優れた描画特性を有する画像形成装置１１９を実現することができる。
【００５８】
なお、前述の各実施形態の構成を組み合わせたり或いは一部の構成部分を入れ替えたりしてもよい。また、本発明の構成は、前述の実施形態にのみ限定されるものではなく、本発明の要旨を逸脱しない範囲内において種々変更を加えてもよい。
【符号の説明】
【００５９】
１…光学デバイス、１０…可動板、２０…軸部材、４０…枠部（フレーム）、４１…傾斜面、５０…支持部材（ホルダ）、５１…底部、５２…傾斜面、６１…磁石、６２…コイル、６２ａ…上面、１１９…画像形成装置、１９５…ガルバノミラー、１９７…スクリーン。
【図１】
2010230793.tif 000003
【図２】
2010230793.tif 000004
【図３】
2010230793.tif 000005
【図４】
2010230793.tif 000006
【図５】
2010230793.tif 000007